(57)【要約】【課題】  治療具を保持具に固定し、保持具を下着等に取り付けることにより治療具を肌に接触させ、肌がかぶれる等の問題を解消する。【解決手段】  治療具２０を保持するための保持具１であって、基板２と、基板２に一体に設けられる嵌合突起３とを備える。嵌合突起３は、小径部５と大径部４とからなり、この嵌合突起３に合致する嵌合穴２１を治療具２０に設け、嵌合穴２１内に嵌合突起３を嵌合させることにより、保持具１に治療具２０を固定する。保持具１の基板２を糸等の取付け手段により下着等の一部に取り付ける。下着等を身に付けることにより、治療具２０が肌に接触し、治療具２０の効能が得られる。治療具２０を粘着テープにより肌に固定する必要がないので、肌がかぶれるような問題は全く生じない。【選択図】        図２
2005218514.tif 000002
【特許請求の範囲】
【請求項１】
治療具を保持するための保持具であって、基板と、該基板に一体に設けられる嵌合突起とを備え、前記嵌合突起を前記治療具の一部に設けた嵌合孔内に嵌合させ、この状態で前記基板を取付け手段により下着、上着等の取付け体に取り付けることを特徴とする保持具。
【請求項２】
治療具を保持するための保持具であって、基板と、該基板の一部に設けられる嵌合孔とを備え、前記嵌合孔内に前記保持具の一部に設けた嵌合突起を嵌合させ、この状態で前記基板を取付け手段により下着、上着等の取付け体に取り付けることを特徴とする保持具。
【請求項３】
治療具を保持するための保持具であって、基板と、該基板に一体に設けられる雄ねじ部とを備え、前記雄ねじ部を前記保持具の一部に設けた雌ねじ部に螺合させ、この状態で前記基板を取付け手段により下着、上着等の取付け体に取り付けることを特徴とする保持具。
【請求項４】
治療具を保持するための保持具であって、基板と、該基板の一部に設けられる雌ねじ部とを備え、前記雌ねじ部に前記保持具の一部に設けた雄ねじ部を螺合させ、この状態で前記基板を取付け手段により下着、上着等の取付け体に取り付けることを特徴とする保持具。
【請求項５】
前記取付け手段は、前記基板を下着、上着等の取付け体に縫い付ける糸であることを特徴とする請求項１から４の何れかに記載の保持具。
【請求項６】
前記取付け手段は、前記基板に設けられる一方のテープと、前記下着、上着等の取付け体に設けられるとともに、前記一方のテープに着脱自在な他方のテープとからなる着脱テープであることを特徴とする請求項１から４の何れかに記載の保持具。
【請求項７】
前記取付け手段は、前記基板を下着、上着等の取付け体に接着させる接着剤であることを特徴とする請求項１から４の何れかに記載の保持具。
【請求項８】
前記取付け手段は、前記基板の一部に設けられるクリップであり、該クリップのばね力により前記基板を下着、上着等の取付け体に取り付けることを特徴とする請求項１から４の何れかに記載の保持具。
【発明の詳細な説明】
【技術分野】
【０００１】
本発明は、保持具に関し、特に、永久磁石、針等の治療具を保持するための保持具に関するものである。
【背景技術】
【０００２】
近年、永久磁石を用いた治療具、針を用いた治療具等の各種の治療具が市場に提供されている。このような治療具は、一般に、粘着テープによって肌の所定の位置に固定し、永久磁石による効能、針による効能等が得られるように構成している（例えば、非特許文献１参照）。
【非特許文献１】ピップフジモト株式会社ホームページ（ｏｎｌｉｎｅ）、平成１６年１月６日検索、インターネット（ＵＲＬ：ｈｔｔｐ：／／ｗｗｗ．ｐｉｐｆｕｊｉｍｏｔｏ．ｃｏ．ｊｐ／ｉｎｄｅｘ．ｈｔｍｌ）
【発明の開示】
【発明が解決しようとする課題】
【０００３】
ところで、上記のような治療具を粘着テープによって肌に固定した場合、人によっては肌がかぶれる等の問題が生じるため、長時間固定したままの状態にしておくことができず、永久磁石、針等による効能が十分に得られない。また、粘着テープの粘着力が時間とともに低下するため、長期的に初期の固定力を得ることができず、定期的に粘着テープを交換しなければならない。さらに、肌に直接に粘着テープによって固定しているため、特に女性等にとって外観上好ましくない問題が生じる。
【０００４】
本発明は、上記のような従来の問題を解決したものであって、使用時に肌がかぶれるような問題が生じることなく、長期的に継続して使用することができるとともに、長期的に安定した固定力が得られて、永久磁石、針等による効能が長期的に得られ、さらに、外観上好ましくないような問題が生じることがない、保持具を提供することを目的とするものである。
【課題を解決するための手段】
【０００５】
上記のような課題を解決するために、本発明の請求項１に記載の保持具は、治療具を保持するための保持具であって、基板と、該基板に一体に設けられる嵌合突起とを備え、前記嵌合突起を前記治療具の一部に設けた嵌合孔内に嵌合させ、この状態で前記基板を取付け手段により下着、上着等の取付け体に取り付ける手段を採用している。
【０００６】
また、本発明の請求項２に記載の保持具は、治療具を保持するための保持具であって、基板と、該基板の一部に設けられる嵌合孔とを備え、前記嵌合孔内に前記保持具の一部に設けた嵌合突起を嵌合させ、この状態で前記基板を取付け手段により下着、上着等の取付け体に取り付ける手段を採用している。
【０００７】
さらに、本発明の請求項３に記載の保持具は、治療具を保持するための保持具であって、基板と、該基板に一体に設けられる雄ねじ部とを備え、前記雄ねじ部を前記保持具の一部に設けた雌ねじ部に螺合させ、この状態で前記基板を取付け手段により下着、上着等の取付け体に取り付ける手段を採用している。
【０００８】
さらに、本発明の請求項４に記載の保持具は、治療具を保持するための保持具であって、基板と、該基板の一部に設けられる雌ねじ部とを備え、前記雌ねじ部に前記保持具の一部に設けた雄ねじ部を螺合させ、この状態で前記基板を取付け手段により下着、上着等の取付け体に取り付ける手段を採用している。
【０００９】
さらに、本発明の請求項５に記載の保持具は、請求項１から４の何れかに記載の保持具であって、前記取付け手段は、前記基板を下着、上着等の取付け体に縫い付ける糸である手段を採用している。
【００１０】
さらに、請求項６に記載の保持具は、請求項１から４の何れかに記載の保持具であって、前記取付け手段は、前記基板に設けられる一方のテープと、前記下着、上着等の取付け体に設けられるとともに、前記一方のテープに着脱自在な他方のテープとからなる着脱テープである手段を採用している。
【００１１】
さらに、請求項７に記載の保持具は、請求項１から４の何れかに記載の保持具であって、前記取付け手段は、前記基板を下着、上着等の取付け体に接着させる接着剤である手段を採用している。
【００１２】
さらに、請求項８に記載の保持具は、請求項１から４の何れかに記載の保持具であって、前記取付け手段は、前記基板の一部に設けられるクリップであり、該クリップのばね力により前記基板を下着、上着等の取付け体に取り付ける手段を採用している。
【発明の効果】
【００１３】
本発明は、前記のように構成したことにより、治療具を保持具に保持し、保持具を取付け手段により下着、上着等の取付け体に取り付け、取付け体を身に付けることにより、治療具を肌の所定の位置に接触させることができることになる。従って、粘着テープ等を使用せずに治療具を肌の所定の位置に固定することができるので、肌がかぶれたりするようなことはない。また、長時間使用しても固定力が低下するようなことがないので、長時間に渡って永久磁石、針等の治療具による効能を得ることができる。さらに、永久磁石、針等の治療具を直接肌に取り付けるわけではないので、外観上好ましくないような状態が生じることはない。
【発明を実施するための最良の形態】
【００１４】
以下、図面に示す本発明の実施の形態について説明する。
図１及び図２には、本発明による保持具の第１の実施の形態が示されていて、図１は治療具を取り付ける前の状態を示す説明図、図２は治療具を取り付けた後の状態を示す説明図である。
【００１５】
すなわち、この保持具１は、永久磁石、針等の治療具を保持するために使用されるものであって、基板２と、基板２の上面中央部に一体に設けられる嵌合突起３とを備えている。
【００１６】
基板２は、金属又は樹脂を素材として形成される薄板状をなすものであって、この実施の形態においては、四角形板状に形成されている。基板２の形状は、四角形板状に限定されるものではなく、円形板状、楕円形板状、多角形板状等としても良いし、その他の形状としても良い。
【００１７】
嵌合突起３は、金属又は樹脂を素材として形成される柱状をなすものであって、この実施の形態においては、外周面が大径部４と小径部５の２段に形成された円柱状に形成されている。嵌合突起３の形状は、特に限定されるものではなく、角柱状等とすることもできる。嵌合突起３は、基板２と一体に形成しても良いし、基板２と別体に形成して、熱融着、接着、ねじ止め等の方法により基板２に固定しても良い。
【００１８】
嵌合突起３の中心部には、大径部４及び小径部５の一部を径方向に２つに分割する所定の幅、深さの切込み６が設けられ、この切込み６によって両分割片７、７を矢印方向に変位可能、かつ元の状態に復元可能に構成している。
【００１９】
大径部４の外周面の上端部、下端部、及び切込み６の開口縁部は、面取りされて所定の曲率のアール面に形成され、後述する治療具２０の嵌合穴２１内に嵌合させ易くしている。
【００２０】
治療具２０は、針であって、先端が尖った円柱状に形成されている。治療具２０の形状は、特に限定されるものではなく、角柱状等とすることもできる。
【００２１】
治療具２０の下面中央部には、所定の深さの嵌合穴２１が設けられ、この嵌合穴２１は、内周面が大径部２２と小径部２３の２段に形成されている。嵌合穴２１は、小径部２３の内径、長さが前述した嵌合突起３の小径部５を嵌合させ得る寸法に形成され、大径部２２の内径、長さが嵌合突起３の大径部４を遊嵌させ得る寸法に形成されている。嵌合穴２１の小径部２３の上下端部は、面取りされて所定の曲率のアール面に形成され、嵌合突起３を嵌合させ易くしている。
【００２２】
そして、上記のように構成した保持具１の嵌合突起３を、両分割片７、７を内方に押圧しながら治療具２０の嵌合穴２１内に矢印の方向から相対的に挿入することにより、嵌合突起３の小径部５が嵌合穴２１の小径部２３に嵌合され、嵌合突起３の大径部４が嵌合穴２１の大径部２２に遊嵌され、治療具２０が保持具１の基板２上に固定される。この場合、嵌合突起３の大径部４の下面が嵌合穴２１の大径部２２の底面に係止されることにより、嵌合突起３が嵌合穴２１から抜け出るのが防止される。
【００２３】
そして、上記のように保持具１に治療具２０を固定し、この状態で、図３及び図４に示すように、保持具１を取付け手段３５である糸３５により取付け体４５（下着）のストラップ４６に縫い付け、治療具２０を取付け体４５の所定の位置に取り付ける。そして、この状態で取付け体４５を身に付けることにより、治療具２０を肌の所定の位置に接触させることができ、治療具２０による効能を得ることができるものである。
【００２４】
上記のように構成したこの実施の形態においては、治療具２０を粘着テープ等によって肌に直接固定する必要がないので、肌がかぶれるような問題が生じることは全くない。また、長期的に使用しても、従来のもののように、固定力が低下するようなことはなく、長期的に治療具２０の効能を得ることができる。さらに、肌に直接に取り付ける必要がないので、外観上好ましくない状態が生じるようなことはない。
【００２５】
なお、前記の説明においては、取付け手段３５として糸３５を使用したが、図５に示すように、取付け手段３６に市販の着脱テープ３６（マジックテープ（商標名）等）を使用し、着脱テープ３６の一方のテープ３７を保持具１の基板２側に縫製、熱圧着等の手段により取り付け、他方のテープ３８を取付け体４５のストラップ４６側に縫製、熱圧着等の手段により取り付け、両テープ３７、３８を接合させることにより、保持具１をストラップ４６に取り付けるように構成しても良い。また、図示はしないが、保持具１の基板２の一部にばね力を有するクリップを一体に設けて取付け手段を構成し、クリップのばね力によってクリップと基板２との間でストラップ４６を挟持することにより、保持具１をストラップ４６に取り付けるように構成しても良い。この場合、クリップの形状は特に限定するものではなく、ストラップ４６を挟持できる形状であれば良い。さらに、図示はしないが、接着剤によって保持具１を取付け体４５のストラップ４６に取り付けても良いし、その他の周知の方法によって取付け体４５に取り付けても良い。
【００２６】
図６及び図７には、本発明による保持具の第２の実施の形態が示されていて、図６は治療具を取り付ける前の状態を示す説明図、図７は治療具を取り付けた後の状態を示す説明図である。
【００２７】
すなわち、この実施の形態に示す保持具１は、基板２の上面中央部に雄ねじ８を一体に設けて保持具１を構成し、この雄ねじ８と相互に螺合する雌ねじ２４を治療具２０の下面側に所定の深さで設け、保持具１の基板２の雄ねじ８と治療具２０の雌ねじ２４とを相互に螺合させることにより、治療具２０を保持具１の基板２上に固定したものであって、その他の構成は前記第１の実施の形態に示すものと同様である。
【００２８】
そして、この実施の形態に示す保持具１にあっても、前記第１の実施の形態に示すものと同様に、保持具１に治療具２０を固定した状態で、保持具１を取付け手段３５、３６を介して取付け体４５のストラップ４６に取り付け（図４及び図５参照）、取付け体４５を身に付けることにより、治療具２０を肌の所定の位置に接触させることができ、治療具２０による効能を得ることができるものである。
【００２９】
上記のように構成したこの実施の形態に示す保持具１にあっても、前記第１の実施の形態に示すものと同様に、治療具２０を粘着テープ等によって肌に直接固定する必要がないので、肌がかぶれるような問題が生じることは全くない。また、長期的に使用しても、従来のもののように、固定力が低下するようなことはなく、長期的に治療具２０の効能を得ることができる。さらに、肌に直接に取り付ける必要がないので、外観上好ましくない状態が生じるようなことはない。
【００３０】
図８及び図９には、本発明による保持具の第３の実施の形態が示されていて、図８は治療具を取り付ける前の状態を示す説明図、図９は治療具を取り付けた後の状態を示す説明図である。
【００３１】
すなわち、この実施の形態に示す保持具１は、基板２の中央部に上下面間を貫通する嵌合孔９を設けて保持具１を構成し、この保持具１の嵌合孔９に嵌合させる嵌合突起２５を治療具２０の下面中央部に一体に設け、嵌合突起２５を矢印の方向から嵌合孔９内に相対的に嵌合させることにより、治療具２０を保持具１の基板２上に固定したものであって、その他の構成は前記第１の実施の形態に示すものと同様である。
【００３２】
この場合、保持具１の嵌合孔９は、小径部１０、小径部１０の両端に位置するテーパ部１１、１２とによって構成され、治療具２０の嵌合突起２５は、外周面が小径部２６と大径部２７からなる２段円柱状に形成され、治療具２０の嵌合突起２５の小径部２６が保持具１の嵌合孔９の小径部１０内に嵌合され、嵌合突起２５の大径部２７が嵌合孔９のテーパ部１２に係止されている。
【００３３】
そして、この実施の形態に示す保持具１にあっても、前記第１の実施の形態に示すものと同様に、保持具１に治療具２０を固定した状態で、保持具１を取付け手段３５、３６を介して取付け体４５のストラップ４６に取り付け（図４及び図５参照）、取付け体４５を身に付けることにより、治療具２０を肌の所定の位置に接触させることができ、治療具２０による効能を得ることができるものである。
【００３４】
上記のように構成したこの実施の形態に示す保持具１にあっても、前記第１の実施の形態に示すものと同様に、治療具２０を粘着テープ等によって肌に直接固定する必要がないので、肌がかぶれるような問題が生じることは全くない。また、長期的に使用しても、従来のもののように、固定力が低下するようなことはなく、長期的に治療具２０の効能を得ることができる。さらに、肌に直接に取り付ける必要がないので、外観上好ましくない状態が生じるようなことはない。
【００３５】
図１０及び図１１には、本発明による保持具の第４の実施の形態が示されていて、図１０は治療具を取り付ける前の状態を示す説明図、図１１は治療具を取り付けた後の状態を示す説明図である。
【００３６】
すなわち、この実施の形態に示す保持具１は、基板２の中央部に、上面及び側面が開口する嵌合孔１３を設けるとともに、基板２の下面側にばね力を有する取付け手段であるクリップ１６を一体に設けて保持具１を構成し、この保持具１の嵌合孔１３に側面の開口部１５から治療具２０を矢印の方向から相対的に嵌合させることにより治療具２０を保持具１の基板２に固定したものであって、その他の構成は前記第１の実施の形態に示すものと同様である。
【００３７】
そして、この実施の形態に示す保持具１にあっても、前記第１の実施の形態に示すものと同様に、保持具１に治療具２０を固定した状態で、保持具２０を取付け手段であるクリップ１６を介して取付け体４５のストラップ４６に取り付け（図４及び図５参照）、取付け体４５を身に付けることにより、治療具２０を肌の所定の位置に接触させることができ、治療具２０による効能を得ることができるものである。
【００３８】
上記のように構成したこの実施の形態に示す保持具１にあっても、前記第１の実施の形態に示すものと同様に、治療具２０を粘着テープ等によって肌に直接固定する必要がないので、肌がかぶれるような問題が生じることは全くない。また、長期的に使用しても、従来のもののように、固定力が低下するようなことはなく、長期的に治療具２０の効能を得ることができる。さらに、肌に直接に取り付ける必要がないので、外観上好ましくない状態が生じるようなことはない。
【００３９】
図１２及び図１３には、本発明による保持具の第５の実施の形態が示されていて、図１２は治療具を取り付ける前の状態を示す説明図、図１３は治療具を取り付けた後の状態を示す説明図である。
【００４０】
すなわち、この実施の形態に示す保持具１は、前記第１の実施の形態に示すものと同一の構成を有しているので、同一の番号を付してその詳細な説明は省略するものとする。
【００４１】
この実施の形態においては、治療具２０は、永久磁石であって、中心部に嵌合孔２８を有する円筒状のものを使用している。嵌合孔２８は、内周面が大径部２９と小径部３０の２段に形成され、小径部３０に保持具１の嵌合突起３の小径部５が嵌合され、大径部２９に嵌合突起３の大径部４が係止される。
【００４２】
そして、この実施の形態に示す保持具１にあっても、前記第１の実施の形態に示すものと同様に、保持具１に治療具２０を固定した状態で、保持具１を取付け手段３５、３６を介して取付け体４５のストラップ４６に取り付け（図４及び図５参照）、取付け体４５を身に付けることにより、治療具２０を肌の所定の位置に接触させることができ、治療具２０による効能を得ることができるものである。
【００４３】
上記のように構成したこの実施の形態に示す保持具１にあっても、前記第１の実施の形態に示すものと同様に、治療具２０を粘着テープ等によって肌に直接固定する必要がないので、肌がかぶれるような問題が生じることは全くない。また、長期的に使用しても、従来のもののように、固定力が低下するようなことはなく、長期的に治療具２０の効能を得ることができる。さらに、肌に直接に取り付ける必要がないので、外観上好ましくない状態が生じるようなことはない。
【００４４】
なお、前記各実施の形態においては、治療具２０として、先端が尖った形状の針、円筒形状の永久磁石を使用したが、これらに限定することなく、他の形状の治療具に前記各実施の形態の保持具を適用しても良いものであり、その場合にも同様の作用効果を奏するものである。また、前記各実施の形態においては、取付け体４５である下着４５のストラップ４６に保持具１を取り付けたが、その他の下着、上着等に取り付けてもよいものである。
【図面の簡単な説明】
【００４５】
【図１】本発明による保持具の第１実施形態を示した説明図であって、治療具を取り付ける前の状態を示した説明図である。
【図２】図１の保持具に治療具を取り付けた状態を示した説明図である。
【図３】取付け体の一例を示した説明図である。
【図４】取付け手段の一例を示した説明図である。
【図５】取付け手段の他の例を示した説明図である。
【図６】本発明による保持具の第２実施形態を示した説明図であって、治療具を取り付ける前の状態を示した説明図である。
【図７】図６の保持具に治療具を取り付けた状態を示した説明図である。
【図８】本発明による保持具の第３実施形態を示した説明図であって、治療具を取り付ける前の状態を示した説明図である。
【図９】図８の保持具に治療具を取り付けた状態を示した説明図である。
【図１０】本発明による保持具の第４実施形態を示した説明図であって、治療具を取り付ける前の状態を示した説明図である。
【図１１】図１０の保持具に治療具を取り付けた状態を示した説明図である。
【図１２】本発明による保持具の第５実施形態を示した説明図であって、治療具を取り付ける前の状態を示した説明図である。
【図１３】図１２の保持具に治療具を取り付けた状態を示した説明図である。
【符号の説明】
【００４６】
１  保持具
２  基板
３  嵌合突起
４  大径部
５  小径部
６  切込み
７  分割片
８  雄ねじ
９  嵌合孔
１０  小径部
１１  テーパ部
１２  テーパ部
１３  嵌合孔
１５  開口部
１６  クリップ
２０  治療具
２１  嵌合穴
２２  大径部
２３  小径部
２４  雌ねじ
２５  嵌合突起
２６  小径部
２７  大径部
２８  嵌合孔
２９  大径部
３０  小径部
３５  取付け手段（糸）
３６  取付け手段（着脱テープ）
３７  一方のテープ
３８  他方のテープ
４５  取付け体（下着）
４６  ストラップ
【図１】
2005218514.tif 000003
【図２】
2005218514.tif 000004
【図３】
2005218514.tif 000005
【図４】
2005218514.tif 000006
【図５】
2005218514.tif 000007
【図６】
2005218514.tif 000008
【図７】
2005218514.tif 000009
【図８】
2005218514.tif 000010
【図９】
2005218514.tif 000011
【図１０】
2005218514.tif 000012
【図１１】
2005218514.tif 000013
【図１２】
2005218514.tif 000014
【図１３】
2005218514.tif 000015